(57)【要約】【課題】十分なボリュームが得られて泡立ちが良く、しかも握りやすい改良されたボディータオルを提起する。【解決手段】タオル本体１の両側縁部及び両端縁部全体に、外周縁部がタオル本体１の外周縁から外方に突出するように両側縁及び両端縁外周フリル２（２ａ，２ｂ）を設け、タオル本体１中間の左右対称部分に両端縁外周フリル２ｂ，２ｂ間を連絡するように中間左右縦フリル２ｃ，２ｃを設け、中間左右縦フリル２ｃ，２ｃ間を連結するように１本又は複数本の中間横フリル２ｄを設け、各フリル２はタオル本体１の表裏の対応か所に設けた。【選択図】      図３
0003123166.tif 000002
【実用新案登録請求の範囲】
【請求項１】
タオル本体の両側縁部及び両端縁部全体に、外周縁部がタオル本体の外周縁から外方に突出するように両側縁及び両端縁外周フリルを設けたボディータオルにおいて、
前記フリルは、タオル本体の表裏に設けたことを特徴とするボディータオル。
【請求項２】
タオル本体の両側縁部及び両端縁部全体に、外周縁部がタオル本体の外周縁から外方に突出するように両側縁及び両端縁外周フリルを設けたボディータオルにおいて、
前記タオル本体中間の左右対称部分に前記両端縁外周フリル間を連絡するように中間左右縦フリルを設け、該中間左右縦フリル間を連結するように１本又は複数本の中間横フリルを設け、前記各フリルはタオル本体の表裏に設けたことを特徴とするボディータオル。
【請求項３】
前記中間横フリルは、前記中間左右縦フリル間を傾斜状またはクロス状に連絡するように設けたことを特徴とする請求項２に記載のボディータオル。
【請求項４】
前記両側縁外周フリルと前記中間左右縦フリル間におけるタオル本体部分を、タオル使用時における握り部としたことを特徴とする請求項２又は３に記載のボディータオル。
【請求項５】
前記握り部を構成するタオル本体の面に、商標若しくはキャラクターなどの表示を印刷したことを特徴とする請求項４に記載のボディータオル。
【請求項６】
前記タオル本体と前記各フリルとを、表面が粗く比較的固いナイロンなどの合成繊維によるメッシュ状の布体により形成したことを特徴とする請求項１乃至５のいずれか１項記載のボディータオル。
【請求項７】
前記各フリルは、長手方向に対して波形に折り畳んだ帯状片を、前記タオル本体に逢着して構成したことを特徴とする請求項１乃至６のいずれか１項記載のボディータオル。
【請求項８】
前記各フリルは、長手方向に対して波形に折り畳んだ帯状片を、その長手の両側縁を中央側に折り返した状態で、前記タオル本体に逢着して構成したことを特徴とする請求項１乃至６のいずれか１項記載のボディータオル。
【考案の詳細な説明】
【技術分野】
【０００１】
本考案は、主として、浴室での身体の洗浄に使用するボディータオルに関するものである。
【背景技術】
【０００２】
本出願人・考案者は、主として垢摺用として使用するために、タオル本体の両側縁部及び両端縁部全体に、外周縁部がタオル本体の外周縁から外方に突出するように両側縁及び両端縁外周フリルを設けたボディータオルとして、下記特許文献１に記載のボディータオルを発明した。
【特許文献１】特許第２９４８１９６号公報
【考案の開示】
【考案が解決しようとする課題】
【０００３】
この特許文献１に記載のボディータオルは、主として垢摺用として使用して有用である。
【０００４】
ところが、特許文献１の実施の形態として、同明細書の発明の実施の形態の欄及び図面に記載のボディータオルは、ボリュームに欠け、また、タオル本体を棒状に握って使用する際、手が滑りやすいなどの難点があった。
【０００５】
そこで本考案は、特許文献１に記載の発明を利用し、それに改良を加えることにより、十分なボリュームが得られて泡立ちが良く、しかも握りやすい改良されたボディータオルを提起することを目的とするものである。
【課題を解決するための手段】
【０００６】
前記目的を達成するため、請求項１の考案は、図の実施の形態にも示すように、タオル本体１の両側縁部及び両端縁部全体に、外周縁部がタオル本体１の外周縁から外方に突出するように両側縁及び両端縁外周フリル２（２ａ，２ｂ）を設けたボディータオルにおいて、前記フリル２は、タオル本体１の表裏の対応か所に設けたことを特徴とする。
【０００７】
請求項２の考案では、前記タオル本体１中間の左右対称部分に前記両端縁外周フリル２ｂ，２ｂ間を連絡するように中間左右縦フリル２ｃ，２ｃを設け、該中間左右縦フリル２ｃ，２ｃ間を連結するように１本又は複数本の中間横フリル２ｄを設け、前記各フリル２はタオル本体１の表裏の対応か所に設けたことを特徴とする。前記１本又は複数本の中間横フリル２ｄは、請求項３に記載するように、前記中間左右縦フリル２ｃ，２ｃ間を連結するように傾斜状又はクロス状に設けてもよい。
【０００８】
請求項４の考案では、前記両側縁外周フリル２ａ，２ａと前記中間左右縦フリル２ｃ，２ｃ間におけるタオル本体１部分を、タオル使用時における握り部４としたことを特徴とする。
【０００９】
請求項５の考案では、前記握り部４を構成するタオル本体１の面に、商標若しくはキャラクターなどの表示を印刷したことを特徴とする。
【００１０】
請求項６の考案では、前記タオル本体１と前記各フリル２とを、表面が粗く比較的固いナイロンなどの合成繊維によるメッシュ状の布体により形成したことを特徴とする。
【００１１】
請求項７の考案では、前記各フリル２は、長手方向に対して波形に折り畳んだ帯状片を、前記タオル本体１に逢着して構成したことを特徴とする。
【００１２】
請求項８の考案では、前記各フリル２は、長手方向に対して波形に折り畳んだ帯状片を、その長手の両側縁を中央側に折り返した状態で、前記タオル本体１に逢着して構成したことを特徴とする。
【００１３】
上記本願請求項１〜８の考案は、本出願人による上記特許文献１発明の利用考案であって、特許文献１の各請求項に係る発明の実施態様であり、その技術的範囲に属するものである。
【考案の効果】
【００１４】
本願各請求項に係る考案によれば、フリル２をタオル本体１の表裏両面に設けているので、十分なボリュームがあり、泡立ちも良好である。また、表裏両面において、垢摺用のみならず身体洗浄用のボディータオルとして、十分な効果が得られる。
このような泡立ち効果は、タオル本体及びフリルを表面が粗く比較的固いナイロンなどの合成繊維布により形成して垢摺効果を向上させたものにおいても、同様である。
【００１５】
請求項２〜４の考案によれば、タオル本体１左右の握り部４，４を握って使用する際、握り部の内部は本体布のみであってフリルがないことから、握り部４，４が細く棒状に縮小し、手が滑ることがない。また、タオル本体１の中間部においては、中間左右縦フリル２ｃ，２ｃとその間の中間横フリル２ｄにより、十分なボリュームがあり、使用時において、細くなることがなく、ボディータオルの表裏において、身体に対する当たり面積も確保される。
【００１６】
請求項５の考案のように、上記握り部内部の本体布面に、商標若しくはキャラクターなどの表示を印刷等により設けることにより、デザイン性が向上し、表示商品等の広告機能も期待できる。
【考案を実施するための最良の形態】
【００１７】
以下、本考案の最良の形態につき、添付図面を用いて詳細に説明する。
図１及び図２は本考案の第１実施形態を示すものであり、図１は本考案に係るボディータオルの正面図、図２は同側部の拡大断面図である。
【００１８】
第１実施形態に係るボディータオルは、横長帯状のタオル本体１の両側縁部及び両端縁部全体に、外周縁部がタオル本体１の外周縁から外方に突出するように両側縁外周フリル及び両端縁外周フリル２（２ａ，２ｂ）を連続して設けている。この各フリル２は、タオル本体１の表裏の縁部に、逢着により設けられている。図中３は、逢着か所を示し、フリル２の幅方向の中間部がタオル本体１の周縁において、一重又は二重など多重に逢着されている。
【００１９】
上記タオル本体１と各フリル２とは、表面が粗く比較的固いナイロンなどの合成繊維によるメッシュ状の布体により形成されることが望ましい。
【００２０】
タオル本体１と各フリル２とを、麻等の天然繊維で構成することも可能である。
【００２１】
上記各フリル２は、長手方向に対して波形に折り畳んだ帯状片を、その長手の両側縁を中央側に折り返した状態で、前記タオル本体１に逢着して構成している。
【００２２】
上記各フリル２は、長手方向に対して波形に折り畳んだ帯状片を、その長手の両側縁を中央側に折り返した状態で、タオル本体１に逢着して構成してもさしつかえない。
【００２３】
図３は本考案の第２実施形態を示す正面図である。
【００２４】
第２実施形態にかかるボディータオルは、横長帯状のタオル本体１の両側縁部及び両端縁部全体に、外周縁部がタオル本体１の外周縁から外方に突出するように両側縁外周フリル及び両端縁外周フリル２（２ａ，２ｂ）を連続して設けている。さらに、このタオル本体１中間の左右対称部分に前記両端縁外周フリル２ｂ，２ｂ間を連絡するように中間左右縦フリル２ｃ，２ｃを設け、該中間左右縦フリル２ｃ，２ｃ間を連結するように１本又は複数本の中間横フリル２ｄを設け、前記各フリル２はタオル本体１の対応部分の表裏に設けている。また、各フリル２は、その幅方向の中間部分が、長手方向に沿って連続して逢着か所３により逢着されている。中間横フリル２ｄは、図の実施形態では、中間左右縦フリル２ｃ，２ｃ間の表裏を連結するように１本形成したが、２本以上平行に設けても良い。また、中間横フリル２ｄは、傾斜状又はクロス状に設けても良い。
【００２５】
上記両側縁外周フリル２ａ，２ａと上記中間左右縦フリル２ｃ，２ｃ間におけるタオル本体１部分は、タオル使用時における握り部４とされている。
【００２６】
上記握り部４を構成するタオル本体１の面に、商標若しくはキャラクターなどの表示を印刷さることができる。
【００２７】
上記第２実施形態において、上記第一実施形態と共通するか所には、共通する符号を付して、その詳細な説明は省略した。
【図面の簡単な説明】
【００２８】
【図１】本考案の第１実施形態に係るボディータオルの正面図である。
【図２】同拡大側断面図である。
【図３】本考案の第２実施形態に係るボディータオルの正面図である。
【符号の説明】
【００２９】
１  タオル本体
２  フリル、２ａ  両側縁外周フリル、２ｂ  両端縁外周フリル、２ｃ  中間左右縦フリル、２ｄ  中間横フリル
３  逢着か所
４  握り部
【図１】
0003123166.tif 000003
【図２】
0003123166.tif 000004
【図３】
0003123166.tif 000005